(57)【要約】      （修正有）【課題】複数に分割して読み取られた画像を結像するときにユーザの意図に対応した画像を提供する。【解決手段】分割結合モードが選択されていたときには、原稿を例えば縦横をそれぞれ２等分する線で４分割される原稿領域の画像データＰ１，Ｐ２，Ｐ３，Ｐ４を余白部分Ｂ１，Ｂ２，Ｂ３，Ｂ４も含めて画処理部の図示しないメモリに格納する。その際、線で分割された原稿の情報が余白情報も含めて記憶され、この記憶された原稿情報に基づいてそれぞれ必要な範囲のデータを組合せた一枚の画像を形成（集約）し、これを印刷用紙のサイズに印刷できるように縮小して印刷画像を形成する。【選択図】図３
2006333112.tif 000002
【特許請求の範囲】
【請求項１】
分割された原稿画像データが入力される入力手段を有し、前記入力された分割原稿画像データを編集して出力する用紙処理装置において、
前記入力された分割原稿画像データを編集する際、出力形態に応じて取り扱う前記分割原稿画像データの範囲を切り替える処理手段を備えていることを特徴とする画像処理装置。
【請求項２】
前記分割された原稿画像データが余白データを含むことを特徴とする請求項１記載の画像処理装置。
【請求項３】
前記分割原稿画像データが１枚の大寸の原稿を複数に分割して読み取った画像データであることを特徴とする請求項１または２記載の画像処理装置。
【請求項４】
前記処理手段は、前記分割して読み取られた各画像データを結合させる処理が選択された場合、前記分割して読み取られた分割原稿画像の外周部に形成される印刷可能範囲から外れた余白部分が、前記画像を結合したときに用紙の内部に存在するときには前記余白部分を削除して分割画像を結合させることを特徴とする請求項２又は３記載の画像処理装置。
【請求項５】
前記処理手段は、前記結合時に縮小変倍することを特徴とする請求項４記載の画像処理装置。
【請求項６】
前記入力手段から入力された分割原稿画像の位置を前後左右に移動させて調整する操作手段を備え、当該操作手段により前記分割画像の位置関係を調整して前記余白部分を削除することを特徴とする請求項４又は５記載の画像処理装置。
【請求項７】
前記入力手段から入力された分割原稿画像の位置を前後左右に移動させて調整する調整手段を備え、当該調整手段は画像領域データに基づいて前記分割画像の位置関係を調整し、前記余白部分を削除することを特徴とする請求項４又は５記載の画像処理装置。
【請求項８】
前記画像の並びを操作者が変更する変更手段を備えていることを特徴とする請求項７記載の画像処理装置。
【請求項９】
前記画像の並びを自動で予測し変更する自動変更手段を備えていることを特徴とする請求項７記載の画像処理装置。
【請求項１０】
前記分割された画像を表示する表示手段を備えていることを特徴とする請求項９記載の画像処理装置。
【請求項１１】
前記自動変更手段は、画像結合位置近傍の画像データに基づいて予測することを特徴とする請求項９又は１０記載の画像処理装置。
【請求項１２】
請求項１ないし１１のいずれか１項に記載の画像処理装置を備えていることを特徴とする画像形成装置。
【発明の詳細な説明】
【技術分野】
【０００１】
本発明は、入力された画像データを編集する編集機能を有する画像処理装置、及びこの画像処理装置を備えた画像形成装置に関する。
【背景技術】
【０００２】
この種の技術として例えば特許文献１ないし３に記載された発明が公知である。このうち特許文献１には、原稿の画像を読み取る入力手段と、入力手段により分割して読み取った各画像をそれぞれ原稿データとして記憶可能な記憶手段と、記憶手段に格納された各原稿データのつなぎ目を認識し、上記各原稿データの位置合わせを行うつなぎ合わせ処理手段と、つなぎ合わせ処理後の原稿データを記録媒体のサイズに応じて変倍する変倍手段とが設けられ、つなぎ合わせモードが指定された際、ＣＣＤセンサにより分割して読み込まれた原稿データを記憶手段に記憶し、原稿データのつなぎ目を認識して、つなぎ目同士が向かい合うように、原稿データを並べ替えた後、つなぎ目が最適に一致する場所を探して位置合わせを行い、位置合わせ後の原稿データを合成してレーザドライバユニットに出力するようにした画像処理装置が開示されている。そして、この構成により、一度にコピーできないようなサイズの大きな原稿を縮小する際、切り貼りしたり、縮小率を計算する等の余分な手間が不要になり、作業性の向上を図るようにしている。
【０００３】
また、特許文献２には、原稿の画像を複数に分割して読み取る入力手段と、この入力手段から分割して読み取った画像をそれぞれ原稿データとして記憶する記憶手段と、この記憶手段に分割記憶された各原稿データのつなぎ目を予め指定されている順序に従って検出し、分割された原稿データを１つの画像データとしてつなぎ合わせるつなぎ合わせ処理手段と、画像を形成する記録媒体のサイズに応じてつなぎ合わせ処理後の１つの画像データを変倍する変倍手段とを備えた画像処理装置が開示されている。そして、この構成により、一度にコピーできないようなサイズの大きな原稿を縮小する際、切り貼りしたり、縮小率を計算する等の余分な手間が不要になり、作業性の向上を図ると共に、処理を開始刷る原稿データを指定することにより、原稿の読み取り順序に関係なく、正確につなぎ合わせることができるようにしている。
【０００４】
さらに、特許文献３には、原稿画像を読み取る原稿読取手段と、前記原稿読取手段により読み取った画像データを記憶する画像データ記憶手段と、原稿のサイズを検知する原稿サイズ検知手段と、記録紙のサイズを検知する記録紙サイズ検知手段とを有する画像形成装置において、前記原稿サイズ検知手段からの検知信号に基づいて記録すべき原稿画像のサイズが所定サイズの記録紙より大きい場合に、前記原稿画像の分割部分が重複するように分割する画像処理手段と、前記画像処理手段の処理に基づいて画像データを出力する画像出力手段とを備え、所定サイズの原稿を予め決められたサイズの記録紙に２分割して記録する際に、分割部分の画像欠落を排除することが可能な画像形成装置が開示されている。
【特許文献１】特開平０６−１８１５１７号公報
【特許文献２】特開平０６−１６４８９０号公報
【特許文献３】特開平０７−０６６９６２号公報
【発明の開示】
【発明が解決しようとする課題】
【０００５】
前述のように、編集機能、特に分割された画像を１つの画像として合成する画像処理装置や画像形成装置や種々知られている。一方、原稿台よりも大きな画像を印刷可能な印刷用紙サイズに変倍して印刷したいという要求がある。その際、単純に印刷サイズに分割（例えばＡ１原稿を４等分してスキャンし、４枚を１枚に集約）しても、読み取られる原稿は印刷可能範囲の画像しかデータとして扱われず、集約しても読み取り範囲外の部分に対応する余白部分が集約画像に表れることになる。その際、単純に印刷サイズに分割、例えば図７（ａ）に示すようにＡ１原稿を縦横の中央部Ｌ１，Ｌ２で４等分してスキャンし、４枚を１枚に縮小して集約しても、読み取られる原稿は印刷可能範囲の画像しかデータとして扱われず、それを集約しても図７（ｂ）に示すように中央に空白の部分Ｂ１０，Ｂ１１が生じてしまう。このような状態になると、原画像ＯＲとは異なった画像となる。
【０００６】
本発明は、このような従来技術の実情に鑑みてなされたもので、その目的は、複数に分割して読み取られた画像を結像するときにユーザの意図に対応した画像を提供することができる画像処理装置及び画像形成装置を提供することにある。
【課題を解決するための手段】
【０００７】
前記目的を達成するため、第１の手段は、分割された原稿画像データが入力される入力手段を有し、前記入力された分割原稿画像データを編集して出力する用紙処理装置において、前記入力された分割原稿画像データを編集する際、出力形態に応じて取り扱う前記分割原稿画像データの範囲を切り替える処理手段を備えていることを特徴とする。
【０００８】
第２の手段は、第１の手段において、前記分割された原稿画像データが余白データを含むことを特徴とする。
【０００９】
第３の手段は、第１又は第２の手段において、前記分割原稿画像データが１枚の大寸の原稿を複数に分割して読み取った画像データであることを特徴とする。
【００１０】
第４の手段は、第２又は第３の手段において、前記処理手段は、前記分割して読み取られた各画像データを結合させる処理が選択された場合、前記分割して読み取られた分割原稿画像の外周部に形成される印刷可能範囲から外れた余白部分が、前記画像を結合したときに用紙の内部に存在するときには前記余白部分を削除して分割画像を結合させることを特徴とする。
【００１１】
第５の手段は、第４の手段において、前記処理手段は、前記結合時に縮小変倍することを特徴とする。
【００１２】
第６の手段は、第４又は第５の手段において、前記入力手段から入力された分割原稿画像の位置を前後左右に移動させて調整する操作手段を備え、当該操作手段により前記分割画像の位置関係を調整して前記余白部分を削除することを特徴とする。
【００１３】
第７の手段は、第４又は第５の手段委おいて、前記入力手段から入力された分割原稿画像の位置を前後左右に移動させて調整する調整手段を備え、当該調整手段は画像領域データに基づいて前記分割画像の位置関係を調整し、前記余白部分を削除することを特徴とする。
【００１４】
第８の手段は、第７の手段において、前記画像の並びを操作者が変更する変更手段を備えていることを特徴とする。
【００１５】
第９の手段は、第７の手段において、前記画像の並びを自動で予測し変更する自動変更手段を備えていることを特徴とする。
【００１６】
第１０の手段は、第９の手段において、前記分割された画像を表示する表示手段を備えていることを特徴とする。
【００１７】
第１１の手段は、第９又は第１０の手段において、前記自動変更手段は、画像結合位置近傍の画像データに基づいて予測することを特徴とする。
【００１８】
第１２の手段は、第１ないし第１１のいずれかの手段に係る画像処理装置を画像形成装置が備えていることを特徴とする。
【００１９】
なお、後述の実施形態において、入力手段はスキャナ部１に、処理手段は画処理部４に、余白データは余白Ｂ１ないしＢ４に対応するデータに、分割原稿画像データはＰ１ないしＰ４に、操作手段及び変更手段は操作部２に、調整手段及び自動変更手段は画処理部４にそれぞれ対応する。
【発明の効果】
【００２０】
本発明によれば、入力された分割原稿画像データを編集する際、出力形態に応じて取り扱う前記分割原稿画像データの範囲を切り替える処理手段を備えているので、読み取ったデータの出力要求に応じて画像データの範囲を切り替え、結合時に不要な部分があればその不要な部分を削除して出力することができる。
【発明を実施するための最良の形態】
【００２１】
以下、本発明の実施形態について図面を参照して説明する。
【００２２】
＜第１の実施形態＞
図１は本発明の第１の実施形態に係る画像形成装置を概念的に示すブロック図である。同図において、本実施形態に係る画像形成装置は、原稿を読み取るスキャナ部１、印刷に関して各種の設定をユーザが行うための操作部２、印刷対象となる用紙上に画像を形成する画像形成部３、及び読み取った画像を蓄えて印刷画像データを作成する画処理部４から構成されている。
【００２３】
図２は図１に示した画像形成装置の処理手順を示すフローチャートである。この実施形態では、大きな原稿を分割して読取り、それらの画像を結合した画像を縮小して一枚の画像として印刷するようにしたもので、このような印刷モードをここでは、分割結合モードと称し、この分割結合モードにおける処理について説明する。
【００２４】
前述の図８のように大きなサイズの原稿をスキャナ部１により読み取る際、当該スキャナ部１で読み取られた画像に対して集約印刷命令が操作部２から入力されている場合（ステップＳ１０１）に、さらに操作部２から分割結合モードが選択されているか否かを確認する（ステップＳ１０２）。もし、分割結合モードが選択されていなかった場合には、前述の従来例と同様に図８（ａ）の状態から図８（ｂ）に示すように同じサイズの用紙に分割された画像を合成して出力する通常集約モードが実行される。その際、読み取り領域外である読み取り情報のない部分は、余白Ｂ１０，Ｂ１１として中央部に十字に出力される。
【００２５】
これに対して、分割結合モードが選択されていたときには、図８（ａ）の原稿ＯＲを例えば縦横をそれぞれ２等分する線Ｌ１，Ｌ２で４分割される原稿領域の画像データＰ１，Ｐ２，Ｐ３，Ｐ４を余白部分Ｂ１，Ｂ２，Ｂ３，Ｂ４も含めて画処理部４の図示しないメモリに格納する。すなわち、前記余白部分Ｂ１，Ｂ２，Ｂ３，Ｂ４は通常集約モードでは破棄され、画像集約時には図８（ｂ）に示すように所定の余白Ｂ１０，Ｂ１１，Ｂ１２を付けて出力されるが、分割結合モードが選択されている場合には、図３（ａ）に示すように前記線Ｌ１，Ｌ２で分割された原稿ＯＲの情報が余白情報も含めて記憶され、この記憶された原稿情報に基づいて図３（ｂ）のようにそれぞれ必要な範囲のデータを組合せた一枚の画像を形成（集約）し、これを印刷用紙のサイズに印刷できるように縮小して印刷画像を形成する。これにより、図８（ａ）の原稿は図３（ｂ）のように余白Ｂ１０，Ｂ１１が削除された上で集約と縮小が行われ、１枚の複写原稿として出力される（ステップＳ１０４）。この実施形態では、読み込まれた原稿画像データＰ１，Ｐ２，Ｐ３，Ｐ４と、余白データＢ１，Ｂ２，Ｂ３，Ｂ４はそれぞれ縮小され、Ｐ１’，Ｐ２’，Ｐ３’，Ｐ４’及びＢ１’，Ｂ２’，Ｂ３’，Ｂ４’からなる集約縮小複写画像Ｐ’となる。
【００２６】
なお、画像形成装置には、前記各部１〜４を含む画像形成装置本体の制御を司る図示しないＣＰＵが設けられ、図示しないＲＡＭをワークエリアとして使用し、図示しないＲＯＭに格納されたプログラムを実行することにより、前記図２に示した処理を実行する。
【００２７】
図４は、第１の実施形態に係る画像形成装置の一例を示すシステム全体の概略構成図である。同図において、画像形成装置は本体１００と、画像形成装置本体１００の上部の設置された画像読み取り装置２００と、さらにその上に装着された自動原稿給送装置（以下、「ＡＤＦ」と称す）３００と、画像形成装置本体１００の図１において右側に配置された大容量給紙装置４００と、画像形成装置本体１００の図１において左側に配置された用紙後処理装置５００とから基本的に構成されている。
【００２８】
画像形成装置本体１００は画像書き込み部１１０と、作像部１２０と、定着部１３０と、両面搬送部１４０と、給紙部１５０と、垂直搬送部１６０と、手差し部１７０とからなる。
【００２９】
画像書き込み部１１０は画像読み取り装置２００で読み取った原稿の画像情報に基づいて発光源であるＬＤを変調し、ポリゴンミラー、ｆθレンズなどの走査光学系により感光体ドラム１２１にレーザ書き込みを行うものである。作像部１２０は感光体ドラム１２１と、この感光体ドラム１２１の外周に沿って設けられた現像ユニット１２２、転写ユニット１２３、クリーニングユニット１２４及び除電ユニットなどの公知の電子写真方式の作像要素とからなる。
【００３０】
定着部１２０は前記転写ユニット１２３で転写された画像を転写紙に定着する。両面搬送部１４０は定着部１２０の転写紙搬送方向下流側に設けられ、転写紙の搬送方向を用紙後処理装置５００側、あるいは両面搬送部１４０側に切り換える第１の切換爪１４１と、第１の切換爪１４１によって導かれた反転搬送路１４２と、反転搬送路１４２で反転した転写紙を再度転写ユニット１２３側に搬送する画像形成側搬送路１４３と、反転した転写紙を用紙後処理装置５００側に搬送する後処理側搬送路１４４とを含み、画像形成側搬送路１４３と後処理側搬送路１４４との分岐部には第２の切換爪１４５が配されている。
【００３１】
給紙部１５０は４段の給紙段からなり、それぞれピックアップローラ、給紙ローラによって選択された給紙段に収納された転写紙が引き出され、垂直搬送部１６０に導かれる。垂直搬送部１６０では、各給紙段から送り込まれた転写紙を転写ユニット１２３の用紙搬送方向上流側直前のレジストローラ１６１まで搬送し、レジストローラ１６１では、感光体ドラム１２１上の顕像の画像先端とタイミングを取って転写紙を転写ユニット１２３に送り込む。手差し部１７０は開閉自在な手差しトレイ１７１を備え、必要に応じて手差しトレイ１７１を開いて転写紙を手差しにより供給する。この場合もレジストローラ１６１で転写紙の搬送タイミングが取られ、搬送される。
【００３２】
大容量給紙装置４００は同一サイズの転写紙を大量にスタックして供給するもので、転写紙が消費されるにしたがって底板４０２が上昇し、常にピックアップローラ４０１から用紙のピックアップが可能に構成されている。ピックアップローラ４０１から給紙される転写紙は、垂直搬送部１６０からレジストローラ１６１のニップまで搬送される。
【００３３】
用紙後処理装置５００はパンチ、整合、ステイプル、仕分けなどの所定の処理を行うもので、この実施形態では、前記機能のためにパンチ５０１、ステイプルトレイ（整合）５０２、ステイプラ５０３、シフトトレイ５０４を備えている。すなわち、画像形成装置１００から用紙後処理装置５００に搬入された転写紙は、孔明けを行う場合にはパンチ５０１で１枚ずつ孔明けが行われ、その後、特に処理するものがなければ、プルーフトレイ５０５へ、ソート、スタック、仕分けを行う場合にはシフトトレイ５０４にそれぞれ排紙される。仕分けは、この実施形態は、シフトトレイ５０４が用紙搬送方向に直交する方向に所定量往復動することにより行われる。このほかに、用紙搬送路で用紙を用紙搬送方向と直交する方向に移動させて仕分けを行うこともできる。
【００３４】
整合する場合には、孔明けが行われた、あるいは孔明けが行われていない転写紙が下搬送路５０６に導かれ、ステイプルトレイ５０４において後端フェンスで用紙搬送方向を直交する方向が整合され、ジョガーフェンスで用紙搬送方向と平行な方向の整合が行われる。ここで、綴じが行われる場合には、整合された用紙束の所定位置、例えば角部、中央２個所など所定の位置がステイプラ５０３によって綴じられ、放出ベルトによってシフトトレイ５０４に排紙される。また、この実施形態では、下搬送路５０６にはプレスタック搬送路５０７が設けられ、搬送時に複数枚の用紙をスタックし、後処理中の画像形成装置本体１００側の画像形成動作の中断を避けることができるようになっている。
【００３５】
画像読み取り装置２００は、ＡＤＦ３００によってコンタクトガラス２１０上に導かれ、停止した原稿を光学的にスキャンし、第１ないし第３のミラーを経て結像レンズで結像された読み取り画像をＣＣＤやＣＭＯＳなどの光電変換素子によって読み取る。読み取られた画像データは、図示しない画像処理回路で所定の画像処理が実行され、記憶装置に一旦記憶される。そして、画像形成時に画像書き込み部１１０によって記憶装置から読み出され、画像データに応じて変調し、光書き込みが行われる。
【００３６】
ＡＤＦ３００は両面読み取り機能を有するもので、画像読み取り装置２００のコンタクトガラス２１０設置面に開閉自在に取り付けられている。
【００３７】
以上のように原稿台よりも大きな画像を印刷可能な印刷用紙サイズに変倍して印刷したいとき、単純に印刷サイズに分割（たとえばＡ１原稿を４等分してスキャンし、４枚を１枚に集約）しても、読み取られる原稿は印刷可能範囲の画像しかデータとして扱われず、それを集約しても前述の図７（ｂ）に示すように中央に空白の部分が生じてしまうが、本実施形態のように構成し、処理することにより、集約により分割された図面を縮小した完全な原稿として印刷することが可能となる。
【００３８】
＜第２の実施形態＞
図５は第２の実施形態に係る処理手順を示すフローチャートである。第１の実施形態では、原稿台よりも大きな画像を印刷可能な印刷用紙サイズに変倍して印刷したいときに、４分割して読み取り、読み取った画像を集約し、縮小変倍して従来生じていた中央の空白が生じないようにして読み取り原稿よりも小さなサイズの用紙に画像を形成しているが、空白の部分を最小としても分割した画像を結合する際、上下左右の画像のずれが生じやすい。そこで、この第２の実施形態では、前記画像のずれを補正することができるようにしたものである。画像形成装置の制御構成やシステム構成は第１の実施形態と同等なので、重複する説明は省略し、異なる点についてのみ説明する。
【００３９】
この実施形態では、図５のフローチャートに示すように図２で説明した第１の実施形態におけるステップＳ１０２で操作部２から分割結合モードが選択されていた場合に、操作部２から読み取り画像の印刷使用範囲を選択し（ステップＳ１１１）、読み取った上下左右の画像を結合する際、操作部２から位置調整量を入力し（ステップＳ１１２）、これにより得られた調整値をもとに縮小された結合画像を作成して印刷する（ステップＳ１１３）。その他、特に説明しない各部は前述の第１の実施形態と同等に構成され、同等に機能する。
【００４０】
このように処理することにより、読み取った原稿のそれぞれの位置を調整することが可能となる。
【００４１】
＜第３の実施形態＞
図６は第３の実施形態に係る処理手順を示すフローチャートである。第２の実施形態では、確かに画像のずれは補正されるが、原稿の集約、縮小印刷行う場合、毎回原稿の位置調整を行う必要がある。そこで、この第３の実施形態では、第２の実施形態における図５のフローチャートのステップＳ１１１の後段に、各々読み取った画像の画像領域（もしくは文字領域）を画像処理により識別し、画像を結合する際、上下左右の位置調整を画像領域との境目が目立たないような位置関係を計算により算出し、画像の並びを確認する手順（ステップＳ１１１ａ）を設けた。これにより得られた調整値をもとに結合画像を作成し（ステップＳ１１２）、第１の実施形態と同様にして縮小された結像画像を用紙に印刷し、画像形成を行う（ステップＳ１１３）。その他、特に説明しない各部は前述の第１及び第２の実施形態と同等に構成され、同等に機能する。
【００４２】
本実施形態によれば、上下左右の位置調整を画像領域との境目が目立たないような位置関係を計算により算出し、画像の並びを確認し、許容範囲内のずれに自動的に調整するので、毎回の位置調整の手間を省くことができる。
【００４３】
＜第４の実施形態＞
第３の実施形態では読み取る原稿の順番を間違えると、集約したときに意図した図面に合成することができないので、原稿の順番に気をつけなければならない。そこで、この第４の実施形態では、合成する前にユーザ自身が画像を確認することができるようにしたものである。すなわち、本実施形態では、図７のフローチャートに示すように前述の第３の実施形態におけるステップＳ１１１及びＳ１１１に代えてステップＳ１２１ないしＳ１２３とした。具体的には、ステップＳ１０２で操作部２から分割結合モードが選択されていた場合に、自動画像並び替えを実行する（ステップＳ１２１）。利用者は読み取った画像を操作部上の液晶画面でそれぞれ結合画像として確認する（ステップＳ１２２）。もし、画像の並び方が間違っていたときは（ステップＳ１２２−ＮＧ）液晶画面上で目的の結合画像となるように並べ替える（ステップＳ１２３）。そして、結合画像が目的の画像となったら（ステップＳ１２２−ＯＫ）、印刷キーを押下し、ステップＳ１１２及びＳ１１３の印刷を行う。
【００４４】
このように処理することにより、読み取る原稿の順番を間違えても正しい図面を印刷することが可能となる。
【００４５】
なお、ステップＳ１２１の自動画像並び替えは、図１に示した画処理部４で行われる。画処理部４では、画像の読取が終了した後、それぞれの画像の端部周辺の特異点Ｑ１〜Ｑ８（図３）のデータ（座標位置と画素の濃度）に基づいてそれぞれの画像の並びを予測し、その順番に沿って並べた結合画像のイメージを操作部にある液晶に表示する。利用者はそれを確認し、もし、画像の並び方が間違っていたときは液晶画面上にて目的の結合画像となるように並び替える。結合画像が目的の画像となったら印刷キーを押下することにより、並び替えた集約画像が出力される。
【００４６】
このように処理することにより、読み取る原稿の順番を間違えても自動で正しい図面に印刷することが可能となる。
【図面の簡単な説明】
【００４７】
【図１】本発明の第１の実施形態に係る画像形成装置を概念的に示すブロック図である。
【図２】図１に示した画像形成装置の処理手順を示すフローチャートである。
【図３】第１の実施形態における分割原稿画像を縮小し、集約した状態を示す図である。
【図４】第１の実施形態に係る画像形成装置の一例を示すシステム全体の概略構成図である。
【図５】本発明の第２の実施形態に係る処理手順を示すフローチャートである。
【図６】本発明の第３の実施形態に係る処理手順を示すフローチャートである。
【図７】本発明の第４の実施形態に係る処理手順を示すフローチャートである。
【図８】従来の合成の状態を示す図である。
【符号の説明】
【００４８】
１  スキャナ部
２  操作部
３  画像形成部
４  画処理部
Ｂ１〜Ｂ４，Ｂ１０〜Ｂ１２  余白
ＯＲ  原稿
Ｐ１〜Ｐ４  画像データ
Ｐ’  集約縮小複写画像
【図１】
2006333112.tif 000003
【図２】
2006333112.tif 000004
【図３】
2006333112.tif 000005
【図４】
2006333112.tif 000006
【図５】
2006333112.tif 000007
【図６】
2006333112.tif 000008
【図７】
2006333112.tif 000009
【図８】
2006333112.tif 000010